(57)【要約】【課題】  映像データの内容を容易に認識可能とする記憶装置を提供することを目的とする。【解決手段】  クレードル１には、第１のメモリカード２に対して電源を供給する電源供給部１０１が設けられる。インターフェイスコントローラ２０１は、メモリカード２と本メモリカード２に対するホストとの間に設けられるインターフェイスに対して制御を行う。フラッシュメモリ２０２へのデータの読み取り、書き込み、又は消去といった命令の実行はインターフェイスコントローラ２０１によって制御される。デコーダ２０３は、フラッシュメモリ２０２に記憶されている映像データをデコードすることでイメージを生成する。バッファ領域２０４は、デコーダ２０３にて生成されたイメージを一時的に保存する。表示制御部２０６は、表示部２０５にイメージを表示させるための制御を行う。【選択図】  図３
2005136906.tif 000002
【特許請求の範囲】
【請求項１】
記憶部と、
前記記憶部に記憶される映像データをデコードするデコーダと、
前記デコーダによってデコードされた映像データを表示する表示部と、
を具備することを特徴とする記憶装置。
【請求項２】
前記映像データの前記表示部への表示を制御する制御手段と、
前記制御手段は、
前記記憶部に記憶される映像データが前記表示部に表示される順番を作成する作成手段
と、
前記作成手段によって作成された前記順番に従って、前記映像データを前記表示部に表
示させる手段と、
を含むことを特徴とする請求項１記載の記憶装置。
【請求項３】
前記表示部は、電子ペーパであることを特徴とする請求項１記載の記憶装置。
【請求項４】
記憶部と、前記記憶部に記憶される映像データをデコードするデコーダと、前記デコーダ
によってデコードされた映像データを表示する表示部とを具備する記憶装置を取り付ける
取り付け部と、
前記取り付け部を介して前記記憶装置に電源を供給する電源供給部と、
を具備することを特徴とする電子機器。
【請求項５】
前記取り付け部が複数個設けられることで、前記記憶装置を複数個取り付け可能とするこ
とを特徴とする請求項４記載の電子機器。
【請求項６】
記憶部と、前記記憶部に記憶される映像データを表示する表示部とを具備する記憶装置を
取り付ける取り付け部と、
前記取り付け部を介して前記記憶装置に電源を供給する電源供給部と、
前記取り付け部を介して送信される前記映像データをデコードするデコーダと、
前記取り付け部を介して前記デコーダによってデコードされた映像データを前記表示部
へ送信し表示させる表示手段と、
を具備することを特徴とする電子機器。
【請求項７】
前記表示手段は、
前記記憶部に記憶される映像データが前記表示部に表示される順番を作成する作成手段
と、
前記作成手段によって作成された前記順番に従って、前記デコーダによってデコードさ
れた前記映像データを前記表示部に表示させる手段と、
を含むことを特徴とする請求項６記載の電子機器。
【請求項８】
前記取り付け部が複数個設けられることで、前記記憶装置を複数個取り付け可能とするこ
とを特徴とする請求項６記載の電子機器。
【請求項９】
記憶部と、前記記憶部に記憶される映像データを表示する表示部とを具備する複数個の記
憶装置を取り付け可能とする複数個の取り付け部と、
前記記憶装置に前記取り付け部を介して電源を供給する電源供給部と、
前記取り付け部を介して送信される前記映像データをデコードするデコーダと、
前記デコーダによってデコードされた映像データを前記取り付け部を介して前記表示部
へ送信し表示させる表示手段と、
前記表示手段は、
前記複数個の記憶装置のうちの何れか一つの記憶装置が有する前記記憶部に記憶される
映像データが前記表示部に表示される順番を作成する作成手段と、
前記作成手段によって作成された前記順番に従って、前記デコーダによってデコードさ
れた前記映像データを前記複数個の記憶装置が夫々有する前記表示部に表示させる手段と
、
を含むことを特徴とする電子機器。
【請求項１０】
第１の記憶部と、前記第１の記憶部に記憶される映像データを表示する第１の表示部とを
具備する第１の記憶装置を取り付け可能とする第１の取り付け部と、
第２の記憶部と、前記第２の記憶部に記憶される映像データを表示する第２の表示部と
を具備する第２の記憶装置を取り付け可能とする第２の取り付け部と、
前記第１の取り付け部を介して前記第１の記憶装置に電源を供給し、前記第２の取り付
け部を介して前記第２の記憶装置に電源を供給する電源供給部と、
前記第１の取り付け部を介して送信されるとともに前記第１の記憶部に記憶される前記
映像データをデコードするデコーダと、
前記デコーダによってデコードされた前記映像データを前記第１の取り付け部および前
記第２の取り付け部を介して前記第１の表示部および前記第２の表示部へ送信し表示させ
る表示手段と、
前記表示手段は、
前記デコーダによってデコードされた前記映像データが前記第１の表示部および前記第
２の表示部に表示される順番を作成する作成手段と、
前記作成手段によって作成された前記順番に従って、前記デコーダによってデコードさ
れた前記映像データを前記第１の表示部及び前記第２の表示部に表示させる手段と、
を含むことを特徴とする電子機器。
【発明の詳細な説明】
【技術分野】
【０００１】
本発明は、記憶装置に関し、特に表示部を具備した記憶装置に関する。
【背景技術】
【０００２】
近年、ノート型パーソナルコンピュータや携帯電話、デジタルカメラといった映像・音
声データを取り扱う情報処理機器の開発進展に伴い、該情報処理機器と着脱可能な半導体
メモリの開発が進められている。半導体メモリの種類として、コンパクトフラッシュ（登
録商標）、スマートメディア、ＳＤメモリカード、メモリスティック等があり（以下、こ
れらの半導体メモリカードを総称して、メモリカードと称す。）、サイズ、記憶容量等の
点で夫々、差別化されている。
【０００３】
メモリカードに関する先行技術として、メモリカードがホストに装着されているととも
にホストがメモリカードにアクセス可能な状態において、該メモリカードに設けられるＬ
ＥＤを使用してビジー又はレディー状態をユーザに通知し、さらに、該メモリカードに表
示部を設けることでホストに装着させること無く、該表示部を使用することでメモリカー
ドの残記憶容量をユーザに通知することが可能なメモリカードがあった（特許文献１参照
。）。
【特許文献１】特開２００３−１４１４８０号公報（第３頁、第１図）
【発明の開示】
【発明が解決しようとする課題】
【０００４】
メモリカードの開発進展に伴う記憶容量の増加により、静止画像、動画像データ（以下
、映像データと称す。）を大量に記憶することが可能となっている。映像データに付けら
れるファイル名を表示部に表示させて、これらのデータの内容を認識する手段もあるが、
これらのファイル名は機器によって自動的に付けられる場合が多いので、ファイル名に基
いてこれらのデータを正確に認識することは容易では無い。
【０００５】
そこで、本発明は、映像データの内容を容易に認識可能とする記憶装置を提供すること
を目的とする。
【課題を解決するための手段】
【０００６】
上記目的を達成するために、請求項１に係る発明では、記憶部と、記憶部に記憶される
映像データをデコードするデコーダと、デコーダによってデコードされた映像データを表
示する表示部とを具備することを特徴とする記憶装置。
【０００７】
また、請求項６に係る発明では、記憶部と、記憶部に記憶される映像データを表示する
表示部とを具備する記憶装置を取り付ける取り付け部と、取り付け部を介して記憶装置に
電源を供給する電源供給部と、取り付け部を介して送信される映像データをデコードする
デコーダと、取り付け部を介してデコーダによってデコードされた映像データを前記表示
部へ送信し表示させる表示手段とを具備することを特徴とする。
【発明の効果】
【０００８】
本発明によれば、記憶装置に記憶されている映像データを容易に認識することが可能と
なる。
【発明を実施するための最良の形態】
【０００９】
以下本発明に係る実施の形態を、図面を参照して説明する。
【００１０】
図１は、本発明に係るメモリカードの一例を示す図である。
【００１１】
メモリカード（記憶装置）２は、例えばカード型の記憶装置である。メモリカード２に
は、記憶媒体として例えばフラッシュメモリが内蔵されており、このフラッシュメモリは
映像データや音声データといったデータを記憶することが可能である。メモリカード２は
、表示部２０５を具備する。表示部２０５には、フラッシュメモリに記憶されている映像
データ等が表示される。
【００１２】
図２には、本発明に係るメモリカード２が装着されているクレードル（電子機器）１が
示される。
【００１３】
クレードル１の使用態様の一つとして、メモリカード２をクレードル１に装着すること
でメモリカード２を保管するという使用態様がある。クレードル１に装着されるメモリカ
ード２の枚数はクレードル１に設けられるメモリカード２用のスロットの数に対応し、一
枚でも複数枚でも良い。クレードル１は、装着されているメモリカード２に対して電源を
供給する。
【００１４】
図３には、本発明の第１の実施形態に係る、メモリカード２及び該メモリカード２が装
着されているクレードル１のシステムブロック図が示される。
【００１５】
第１のメモリカード２、第２のメモリカード３、第３のメモリカード４は、クレードル
１に装着される。クレードル１には、第１のメモリカード２、第２のメモリカード３、及
び第３のメモリカード４夫々に対して電源を供給する電源供給部１０１が設けられる。
【００１６】
第１のメモリカード２は、インターフェイスコントローラ２０１、フラッシュメモリ２
０２、デコーダ２０３、バッファ領域２０４、表示部２０５、表示制御部２０６とで構成
されている。
【００１７】
インターフェイスコントローラ２０１は、メモリカード２と本メモリカード２に対する
ホストとの間に設けられるインターフェイスに対して制御を行う。フラッシュメモリ２０
２は、データの読み取り、書き込み、消去を行うことが可能な不揮発性半導体型メモリで
ある。フラッシュメモリ２０２へのデータの読み取り、書き込み、又は消去といった命令
はホストによって発行され、該命令の実行はインターフェイスコントローラ２０１によっ
て制御される。
【００１８】
デコーダ２０３は、フラッシュメモリ２０２に記憶されている映像データをデコードす
ることでイメージを生成する。バッファ領域２０４は、デコーダ２０３にて生成されたイ
メージを一時的に保存する。バッファ領域２０４に保存されるイメージは表示部２０５に
表示される。尚、バッファ領域２０４の構成としてバッファを複数設けることが好ましい
。複数のバッファを設けることで、例えば一つのバッファにデコーダ２０３でデコード中
のイメージを保存し、さらにこのバッファとは異なるバッファにデコード処理を終え表示
部２０５への表示処理待ちのイメージを保存することが可能となる。さらに、表示部２０
５として電子ペーパを用いると、表示部２０５に対する電源供給が絶たれた場合において
も表示されている画像を維持することが可能となる。
【００１９】
表示制御部２０６は、表示部２０５にイメージを表示させるための制御を行う。表示制
御部２０６の構成は、例えば簡易なプロセッサー、メモリ、又はレジスタ等である。次に
、表示制御部２０６によって行われる表示部２０５へのイメージ表示制御手順を説明する
。
【００２０】
図４は、本発明の第１の実施形態に係る、表示部にイメージを表示するための処理手順
を説明するフローチャートである。
【００２１】
メモリカード２はクレードル１に装着され、クレードル１に内蔵される電力供給部１０
１からメモリカード２へ電力供給が開始される（ステップ  Ｓ１０１）。次に表示制御部
２０６の初期化処理が行われる。この初期化処理の内容を以下、説明する。
【００２２】
表示制御部２０６は、フラッシュメモリ２０２に記憶されているファイルシステムを読
み込む（ステップ  Ｓ１０２）。ファイルシステムとは、映像データ等をフラッシュメモ
リ２０２にファイルとして記憶させるために必要なデータである。表示制御部２０６は、
読み込んだファイルシステムに基づいて、フラッシュメモリ２０２に記憶されているファ
イル数の確認等を行う。その後、表示制御部２０６は、表示部２０５にイメージとして表
示される映像データのファイル数のカウントし、表示部２０５にイメージとして表示され
る映像データのファイルのリスト（以下、表示ファイルリストと称す。）を作成する（ス
テップ  Ｓ１０３）。この作成された表示ファイルリストは、表示制御部２０６の有する
メモリ等に記憶される。さらに、表示ファイルリストに従ってイメージとして表示部２０
５に表示されたファイル数をカウントするインデックス値が表示制御部２０６の有するメ
モリ等に記憶される。このインデックス値は、表示制御部２０６の初期化処理に伴って、
ゼロに設定される（ステップ  Ｓ１０４）。
【００２３】
表示制御部２０６はインターフェイスコントローラ２０１を監視することで、ホストか
らフラッシュメモリ２０２へのアクセス（読み取り、書き込み、又は消去）が行われてい
るか否かを確認する（ステップ  Ｓ１０５）。フラッシュメモリ２０２へのアクセスが行
われていない場合（ステップ  Ｓ１０５  ｎｏ）、表示制御部２０６は表示ファイルリス
トに従って、フラッシュメモリ２０２に記憶されているファイルを読み込む（ステップ  
Ｓ１０６）。
【００２４】
表示制御部２０６によって読み込まれたファイルはデコーダ２０３にてデコード処理さ
れ（ステップ  Ｓ１０７）、デコード処理によって生成されたイメージはバッファ領域２
０４に格納される（ステップ  Ｓ１０８）。その後、表示制御部２０６は表示部２０５に
バッファ領域２０４に格納されているイメージを所定の時間、表示させる（ステップ  Ｓ
１０９）。
【００２５】
表示制御部２０６はバッファ領域２０４に格納されているイメージを表示させると、イ
ンデックス値を１増加させる更新処理を行う（ステップ  Ｓ１１０）。その後、表示制御
部２０６は、更新処理がなされたインデックス値と表示部２０５にイメージとして表示さ
れる映像データのファイル数の値とを比較する（ステップ  Ｓ１１１）。
【００２６】
更新処理がなされたインデックス値が映像データのファイル数の値よりも小さい場合（
ステップ  Ｓ１１１  ｎｏ）、再び、ステップＳ１０５の処理が行われる。一方、更新処
理がなされたインデックス値が映像データのファイル数の値よりも大きい場合（ステップ
Ｓ１１１  Ｙｅｓ）、つまり表示ファイルリストにリストアップされているファイルを
表示部２０５に表示させ終えた場合、表示部２０５への表示処理は終了する。
【００２７】
上記に説明したフローチャートの処理手順に従うと、メモリカードに電源を供給するこ
とで、メモリカードに内蔵されるフラッシュメモリに記憶されている映像データを表示部
に表示させることが可能となる。
【００２８】
図５には、本発明の第２の実施形態に係るメモリカード２及び該メモリカード２が装着
されているクレードル１のシステムブロック図が示される。
【００２９】
クレードル５には、第１のメモリカード６、第２のメモリカード７、第３のメモリカー
ド８が装着される。クレードル５は電源供給部５０１、メモリカードインターフェイス部
５０２、ＣＰＵ５０３、デコーダ５０４、及びメモリ５０５で構成される。
【００３０】
電源供給部５０１は第１のメモリカード６、第２のメモリカード７、及び第３のメモリ
カード８夫々に対して電源を供給する。ＣＰＵ５０３はメモリ５０５に格納されたプログ
ラムの実行等を行い、デコーダ５０４、メモリカードインターフェイス部５０２の制御を
行う。
【００３１】
メモリ５０５にはＣＰＵ５０３によって実行されるプログラム、本クレードル５に装着
されるメモリカードに記憶されている映像データのファイル等が格納される。メモリカー
ドインターフェイス部５０２は本クレードルに装着されるメモリカードのコントローラと
して動作し、ＣＰＵ５０３が発行した、メモリカードに対するデータの読み取り、書き込
み、消去命令のタイミング制御等を行う。デコーダ５０４はＣＰＵ５０１によって読み込
まれるとともにメモリ５０５に格納される、本クレードル５に装着されるメモリカードに
記憶されている映像データのファイルをデコードする。尚、デコーダ５０４はハードウェ
アで実装されるかわりにソフトウェアでこの機能を実現してもよい。
【００３２】
第１のメモリカード６は、インターフェイスコントローラ６０１、フラッシュメモリ６
０２、バッファ領域６０３、表示部６０４で構成されている。
【００３３】
インターフェイスコントローラ６０１は、メモリカード６と本メモリカード６に対する
ホストとの間に設けられるインターフェイスに対して制御を行う。フラッシュメモリ６０
２は、データの読み取り、書き込み、消去を行うことが可能な不揮発性半導体型メモリで
ある。フラッシュメモリ６０２へのデータの読み取り、書き込み、又は消去といった命令
はホストによって発行され、該命令の実行はインターフェイスコントローラ６０１によっ
て制御される。
【００３４】
バッファ領域６０３は、クレードル５内のデコーダ５０４にて生成されたイメージを一
時的に保存する。バッファ領域６０３に保存されるイメージは表示部６０４に表示される
。次に、表示部２０５へのイメージ表示制御手順を説明する。
【００３５】
図６は、本発明の第２の実施形態に係る、表示部にイメージを表示するための処理手順
を説明するフローチャートである。
【００３６】
メモリカード６はクレードル５に装着され、クレードル５に内蔵される電力供給部５０
１からメモリカード６へ電力供給が開始される（ステップ  Ｓ２０１）。次にクレードル
５内のＣＰＵ５０３、メモリ５０５およびデコーダ５０４等の制御系の初期化処理が行わ
れる。この初期化処理の内容を以下、説明する。
【００３７】
クレードル５内のメモリ５０５に格納されているプログラムを実行することで、クレー
ドル５に装着されているメモリカードを認識（ステップ  Ｓ２０２）し、メモリカード内
のフラッシュメモリに記憶されているファイルシステムを読み込む。ファイルシステムと
は、映像データ等をフラッシュメモリにファイルとして記憶させるために必要なデータで
ある。
【００３８】
クレードル５の制御系は、読み込んだファイルシステムに基づいて、フラッシュメモリ
に記憶されているファイル数の確認等を行う。その後、クレードル５の制御系は、表示部
２０５にイメージとして表示される映像データのファイル数のカウントし、表示部２０５
にイメージとして表示される映像データのファイルのリスト（以下、表示ファイルリスト
と称す。）を作成する（ステップ  Ｓ２０３）。この作成された表示ファイルリストは、
例えばクレードル５に装着されるメモリカード毎に作成され、メモリ５０５に記憶される
。さらに、表示ファイルリストに従ってイメージとして表示されたファイル数をカウント
するインデックス値がメモリ５０５に記憶される。このインデックス値は、クレードル５
内の制御系の初期化処理に伴って、ゼロに設定される（ステップ  Ｓ２０４）。
【００３９】
表示ファイルリストが作成された場合（ステップ  Ｓ２０５  Ｙｅｓ）、クレードル５
に装着される複数のメモリカード毎に作成される表示ファイルリストの中で、表示部に映
像データを表示させるメモリカードに対応する表示ファイルリストを選択する（ステップ
Ｓ２０６）。ここで、便宜上、第１のメモリカード６に対応する表示ファイルリストが
選択されたとする。
【００４０】
クレードル５の制御系は、選択された表示ファイルリストに従って、該ファイルリスト
と対応づけられる第１のメモリカード６内のフラッシュメモリ６０２に記憶されているフ
ァイルを読み込み（ステップ  Ｓ２０７）、読み込んだファイルをメモリ５０５に格納す
る。
【００４１】
読み込まれたファイルはデコーダ５０４にてデコード処理され（ステップ  Ｓ２０８）
、デコード処理によって生成されたイメージは、メモリカードインターフェイス部５０２
およびインターフェイスコントローラ６０１を介して、第１のメモリカード６内のバッフ
ァ領域６０３に格納される（ステップ  Ｓ２０９）。その後、クレードル５の制御系は表
示部６０４にバッファ領域６０３に格納されているイメージを所定の時間、表示させる（
ステップ  Ｓ２１０）。
【００４２】
クレードル５の制御系はバッファ領域６０３に格納されているイメージを表示させると
、インデックス値を１増加させる更新処理を行う（ステップ  Ｓ２１１）。但し、更新処
理がなされたインデックス値と表示部６０４にイメージとして表示される映像データのフ
ァイル数の値が等しい場合、インデックス値をリセットする。
【００４３】
クレードル５の制御系はメモリ５０５に記憶される全ての表示ファイルリストに従って
、クレードル５に装着される全てのメモリカードの各表示部に全てのイメージを表示させ
ると、イメージの表示処理は終了する（ステップ  Ｓ２１２  Ｙｅｓ）。全ての表示ファ
イルリストに従ってイメージの表示処理がなされていない場合、ステップＳ２０６の処理
を再度行う。
【００４４】
上記に説明したフローチャートの処理手順に従うと、メモリカードに電源を供給するこ
とで、メモリカードに内蔵されるフラッシュメモリに記憶されている映像データを表示部
に表示させることが可能となる。また、メモリカードが装着されるクレードルが各メモリ
カードの表示部への映像データの表示を制御するので、クレードルに装着される全メモリ
カードに記憶される映像データを順次、各メモリカードの表示部に表示させることが可能
となる。
【００４５】
なお、図６のフローチャートを用いて説明したイメージ表示制御手順は一実施例であり
、これに限定されない。例えば、図６のフローチャートを用いて説明したイメージ制御手
順では、一つのメモリカード内のフラッシュメモリに記憶されている映像データのファイ
ルを一つずつクレードルに読み込みデコード処理を行っているが、複数枚のメモリカード
内のフラッシュメモリに記憶されている映像データのファイルを纏めてクレードルに読み
込みデコード処理を行ってもよい。
【００４６】
また、メモリカードに設けられる表示部に表示されるイメージは、クレードル内に設け
られる所定のプログラムを用いて任意のメモリカードの表示部に表示させることが可能で
ある。例えば、第１のメモリカード内のフラッシュメモリに記憶されている映像データを
第１のメモリカードに設けられる表示部に表示、第２のメモリカード内のフラッシュメモ
リに記憶されている映像データを第２のメモリカードに設けられる表示部に表示、といっ
たイメージ表示制御を行う以外に、第１のメモリカード内のフラッシュメモリに記憶され
ている第１の映像データを第１のメモリカードに設けられる表示部に表示、第１のメモリ
カード内のフラッシュメモリに記憶されている第２の映像データを第２のメモリカードに
設けられる表示部に表示、といったイメージ表示制御、さらに、第１のメモリカード内の
フラッシュメモリに記憶されている第１の映像データを第１のメモリカードに設けられる
表示部、第２のメモリカードに設けられる表示部といったクレードルに装着されるメモリ
カード群の表示部を用いて拡大表示、といったイメージ表示制御を行うことも可能である
。
【００４７】
なお、本発明に係る記憶装置はメモリカードに限定されるものではない。本発明の内容
は、メモリカードを始めとする半導体型記憶装置以外に、磁気ディスク型記憶装置等にも
適用することが可能である。
【００４８】
本発明は上記実施形態そのままに限定されるものではなく、実施段階ではその要旨を逸
脱しない範囲で構成要素を変形して具体化できる。また、上記実施形態に開示されている
複数の構成要素の適宜な組み合わせにより、種々の発明を形成できる。例えば、実施形態
に示される全構成要素から幾つかの構成要素を削除してもよい。さらに、異なる実施形態
にわたる構成要素を適宜組み合わせてもよい。
【図面の簡単な説明】
【００４９】
【図１】本発明に係るメモリカードの一例を示す図。
【図２】本発明に係るメモリカードが装着されているクレードル。
【図３】本発明の第１の実施形態に係る、メモリカード及びメモリカードが装着されているクレードルのシステムブロック図。
【図４】本発明の第１の実施形態に係る、表示部にイメージを表示するための処理手順を説明するフローチャート。
【図５】本発明の第２の実施形態に係る、メモリカード及びメモリカードが装着されているクレードルのシステムブロック図。
【図６】本発明の第２の実施形態に係る、表示部にイメージを表示するための処理手順を説明するフローチャート。
【符号の説明】
【００５０】
１…クレードル、２…第１のメモリカード、３…第２のメモリカード、
４…第３のメモリカード、５…クレードル、６…第１のメモリカード、
７…第２のメモリカード、８…第３のメモリカード、１０１…電源供給部、
２０１…インターフェイスコントローラ、２０２…フラッシュメモリ、
２０３…デコーダ、２０４…バッファ領域、２０５…表示部、
２０６…表示制御部、５０１…電源供給部、
５０２…メモリカードインターフェイス部、５０３…ＣＰＵ、
５０４…デコーダ、５０５…メモリ、
６０１…インターフェイスコントローラ、６０２…フラッシュメモリ、
６０３…バッファ領域、６０４…表示部、
【図１】
2005136906.tif 000003
【図２】
2005136906.tif 000004
【図３】
2005136906.tif 000005
【図４】
2005136906.tif 000006
【図５】
2005136906.tif 000007
【図６】
2005136906.tif 000008